(57)【特許請求の範囲】
【請求項１】
標記が付された容器と、
前記容器を陳列する陳列装置と、
を有し、
前記陳列装置は、
投入された前記容器が載置される載置部と、
前記載置部に載置された前記容器を一方向に移動させる移動手段と、
前記一方向と直交する方向において互いに異なる箇所に設けられ、前記移動手段により移動する前記容器を周方向に回転させる複数の回転機構と、
前記回転機構が取り付けられる取り付け部を複数有し、前記複数の回転機構を支持する支持部と、
を備え、
前記回転機構の各々は、前記取り付け部から取り外し可能に設けられているとともに、当該取り付け部とは異なる他の取り付け部に取り付け可能に設けられ、
前記支持部は、前記載置部に固定される第１の脚部と、当該載置部に固定される第２の脚部と、当該第１の脚部および当該第２の脚部により下方から支持される天井部と、を少なくとも有し、
前記取り付け部は、前記天井部に設けられていることを特徴とする陳列システム。
【請求項２】
標記が付された容器と、
前記容器を陳列する陳列装置と、
を有し、
前記陳列装置は、
投入された前記容器を一方向に移動させる移動手段と、
前記一方向と直交する方向において互いに異なる箇所に設けられ、前記移動手段により移動する前記容器を周方向に回転させる複数の回転機構と、
前記回転機構が取り付けられる取り付け部を複数有し、前記複数の回転機構を支持する支持部と、
前記移動手段により移動した前記容器が取り出される取り出し部と、
を備え、
前記回転機構の各々は、前記取り付け部から取り外し可能に設けられているとともに、当該取り付け部とは異なる他の取り付け部に取り付け可能に設けられ、
前記回転機構は、前記取り出し部が設けられている側から眺めた場合に左側の部位と右側の部位とが非対称となる形状で形成され、
前記左側の部位と前記右側の部位とが入れ替わった状態での前記取り付け部への前記回転機構の取り付けができないように、当該取り付け部および当該回転機構は構成されていることを特徴とする陳列システム。
【請求項３】
前記回転機構は、
前記一方向に移動する前記容器の移動経路の一方の側方側に設けられ、移動する当該容器の側部に接触することで当該容器に抗力を与え当該容器を前記周方向に回転させる回転部と、
前記移動経路の他方の側方側に設けられ、移動する前記容器の側部に接触し移動する当該容器を案内する案内部と、
を有していることを特徴とする請求項１又は２に記載の陳列システム。
【請求項４】
前記陳列装置は、前記容器が投入される投入部と、当該投入部に投入され前記移動手段により移動した当該容器が取り出される取り出し部と、を更に備え、
前記回転部および前記案内部は、前記陳列装置のうちの前記投入部が設けられている側から前記取り出し部が設けられている側にかけて設けられていることを特徴とする請求項３記載の陳列システム。
【請求項５】
前記陳列装置は、当該陳列装置にて移動する前記容器をガイドするガイドを更に備え、
前記ガイドは、前記取り出し部に設けられ、当該取り出し部よりも前記容器の移動方向上流側には設けられていないことを特徴とする請求項４記載の陳列システム。
【請求項６】
前記回転機構の各々は、前記天井部から吊り下げられた状態で設けられ、
前記回転機構の各々が、前記陳列装置の上下方向における長さが異なる他の回転機構に交換可能に設けられていることを特徴とする請求項１記載の陳列システム。
【請求項７】
前記陳列装置の移動手段は、投入された前記容器を当該陳列装置の奥行き方向に沿って移動させ、
前記天井部は、前記奥行き方向と直交する方向である前記陳列装置の幅方向に沿って配置され、
前記取り付け部の各々は、前記陳列装置の前記奥行き方向に沿って配置された溝により形成され、
前記回転機構の各々は、前記溝の長手方向における端部から当該溝に挿入されることで前記取り付け部に取り付けられ、
前記溝は、前記天井部の下面から上方に向かって延びる第１の溝と、当該第１の溝に接続して設けられるとともに当該第１の溝から一方向に且つ前記陳列装置の前記幅方向に向かって延びる第２の溝と、当該第１の溝に接続して設けられるとともに当該第１の溝から当該一方向とは反対方向に且つ当該陳列装置の当該幅方向に向かって延びる第３の溝と、から少なくとも構成され、
前記第２の溝は前記一方向且つ前記幅方向に向かうに従い前記天井部の上面に接近するように配置され、前記第３の溝は前記一方向とは反対方向且つ当該幅方向に向かうに従い当該天井部の前記下面に接近するように配置されていることを特徴とする請求項１又は６に記載の陳列システム。
【請求項８】
標記が付された容器を陳列する陳列装置であって、
投入された前記容器が載置される載置部と、
前記載置部に載置された前記容器を一方向に移動させる移動手段と、
前記一方向と直交する方向において互いに異なる箇所に設けられ、前記移動手段により移動する前記容器を周方向に回転させる複数の回転機構と、
前記回転機構が取り付けられる取り付け部を複数有し、前記複数の回転機構を支持する支持部と、
を備え、
前記回転機構の各々は、前記取り付け部から取り外し可能に設けられているとともに、当該取り付け部とは異なる他の取り付け部に取り付け可能に設けられ、
前記支持部は、前記載置部に固定される第１の脚部と、当該載置部に固定される第２の脚部と、当該第１の脚部および当該第２の脚部により下方から支持される天井部と、を少なくとも有し、
前記取り付け部は、前記天井部に設けられていることを特徴とする陳列装置。
【請求項９】
標記が付された容器を一方向に移動させる移動手段と、
前記一方向と直交する方向において互いに異なる箇所に設けられ、前記移動手段により移動する前記容器を周方向に回転させる複数の回転機構と、
前記回転機構が取り付けられる取り付け部を複数有し、前記複数の回転機構を支持する支持部と、
前記移動手段により移動した前記容器が取り出される取り出し部と、
を備え、
前記回転機構の各々は、前記取り付け部から取り外し可能に設けられているとともに、当該取り付け部とは異なる他の取り付け部に取り付け可能に設けられ、
前記回転機構は、前記取り出し部が設けられている側から眺めた場合に左側の部位と右側の部位とが非対称となる形状で形成され、
前記左側の部位と前記右側の部位とが入れ替わった状態での前記取り付け部への前記回転機構の取り付けができないように、当該取り付け部および当該回転機構は構成されていることを特徴とする陳列装置。
【請求項１０】
前記回転機構は、前記移動手段により移動する前記容器を前記周方向に回転させ当該容器に付された前記標記を前記一方向に向けることを特徴とする請求項８又は９に記載の陳列装置。
【請求項１１】
前記容器は、前記標記が前記一方向を向いていない場合に前記回転機構に接触する接触部を有し、
前記回転機構は、移動する前記容器の前記接触部に対し抗力を与えることで当該容器を前記周方向に回転させ前記標記を前記一方向に向けることを特徴とする請求項１０記載の陳列装置。
【請求項１２】
標記が付された容器であって載置部に載置された当該容器を一方向に移動させ当該容器を陳列する陳列装置に対して位置決めされ、当該陳列装置にて移動する当該容器を周方向に回転させる回転ユニットであって、
前記一方向と直交する方向において互いに異なる箇所に設けられ、前記陳列装置にて移動する前記容器を周方向に回転させる複数の回転機構と、
前記回転機構が取り付けられる取り付け部を複数有し、前記複数の回転機構を支持する支持部と、
を備え、
前記回転機構の各々は、前記取り付け部から取り外し可能に設けられているとともに、当該取り付け部とは異なる他の取り付け部に取り付け可能に設けられ、
前記支持部は、前記陳列装置の前記載置部に固定される第１の脚部と、当該載置部に固定される第２の脚部と、当該第１の脚部および当該第２の脚部により下方から支持される天井部と、を少なくとも有し、
前記取り付け部は、前記天井部に設けられていることを特徴とする回転ユニット。
【請求項１３】
標記が付された容器を一方向に移動させ当該容器を陳列する陳列装置に対して位置決めされ、当該陳列装置にて移動する当該容器を周方向に回転させる回転ユニットであって、
前記一方向と直交する方向において互いに異なる箇所に設けられ、前記陳列装置にて移動する前記容器を周方向に回転させる複数の回転機構と、
前記回転機構が取り付けられる取り付け部を複数有し、前記複数の回転機構を支持する支持部と、
を備え、
前記回転機構の各々は、前記取り付け部から取り外し可能に設けられているとともに、当該取り付け部とは異なる他の取り付け部に取り付け可能に設けられ、
前記回転機構は、前記容器の移動が行われる方向である前記一方向における下流側から当該回転機構を眺めた場合に、左側の部位と右側の部位とが非対称となる形状で形成され、
前記左側の部位と前記右側の部位とが入れ替わった状態での前記取り付け部への前記回転機構の取り付けができないように、当該取り付け部および当該回転機構は構成されていることを特徴とする回転ユニット。
【発明の詳細な説明】
【技術分野】
【０００１】
本発明は、容器の陳列を行う陳列システム等に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。さらに、容器に関するものとして、缶底に形成された環状凸部の内周壁に、内側凹部と縦リブとが円周方向に交互に形成された缶が提案されている（例えば、特許文献３参照）。
【先行技術文献】
【特許文献】
【０００３】
【特許文献１】特開平１１−１５５７０１号公報
【特許文献２】米国特許第６５０２４０８号
【特許文献３】特開２０００−２１１６２４号公報
【発明の概要】
【発明が解決しようとする課題】
【０００４】
飲料容器などの外面には、商品名や商標名などの標記が設けられるが、この標記が購入者の取り出し方向に向いていないと、商品の識別がしにくくなるとともに、商品の陳列時の見栄えが悪くなる。このため、陳列される容器は、例えば前方側など、標記が特定の方向に向いていることが好ましくなる。ここで容器に付された上記標記は、容器の移動経路上に回転機構を設け、この回転機構により容器を周方向に回転させることで、特定の方向に向けることが可能となる。ところで、上記回転機構が固定され移動できない場合、直径の大きい容器から直径の小さい容器へと容器の種類が変更された場合などに、変更後に陳列される容器とこの容器に隣接し既に陳列されている容器との間の間隙が、容器の種類が変更される前に比べ大きくなる。かかる場合、容器の陳列がなされていない無駄なスペースが生じることとなる。
【課題を解決するための手段】
【０００５】
本発明が適用される陳列システムは、標記が付された容器と、容器を陳列する陳列装置と、を有し、陳列装置は、投入された容器を一方向に移動させる移動手段と、一方向と直交する方向において互いに異なる箇所に設けられ、移動手段により移動する容器を周方向に回転させる複数の回転機構と、回転機構が取り付けられる取り付け部を複数有し、複数の回転機構を支持する支持部と、を備え、回転機構の各々は、取り付け部から取り外し可能に設けられているとともに、取り付け部とは異なる他の取り付け部に取り付け可能に設けられていることを特徴とする陳列システムである。
【０００６】
ここで、回転機構は、一方向に移動する容器の移動経路の一方の側方側に設けられ、移動する容器の側部に接触することで容器に抗力を与え容器を周方向に回転させる回転部と、移動経路の他方の側方側に設けられ、移動する容器の側部に接触し移動する容器を案内する案内部と、を有していることを特徴とすることができる。また、陳列装置は、容器が投入される投入部と、投入部に投入され移動手段により移動した容器が取り出される取り出し部と、を更に備え、回転部および案内部は、陳列装置のうちの投入部が設けられている側から取り出し部が設けられている側にかけて設けられていることを特徴とすることができる。また、陳列装置は、陳列装置にて移動する容器をガイドするガイドを更に備え、ガイドは、取り出し部に設けられ、取り出し部よりも容器の移動方向上流側には設けられていないことを特徴とすることができる。さらに、陳列装置は、容器が載置される載置部を有し、支持部は、載置部に固定される第１の脚部と、載置部に固定される第２の脚部と、第１の脚部および第２の脚部により下方から支持される天井部と、を少なくとも有し、取り付け部は、天井部に設けられていることを特徴とすることができる。また、回転機構の各々は、天井部から吊り下げられた状態で設けられ、回転機構の各々が、陳列装置の上下方向における長さが異なる他の回転機構に交換可能に設けられていることを特徴とすることができる。
【０００７】
さらに、陳列装置の移動手段は、投入された容器を陳列装置の奥行き方向に沿って移動させ、天井部は、奥行き方向と直交する方向である陳列装置の幅方向に沿って配置され、取り付け部の各々は、陳列装置の奥行き方向に沿って配置された溝により形成され、回転機構の各々は、溝の長手方向における端部から溝に挿入されることで取り付け部に取り付けられ、溝は、天井部の下面から上方に向かって延びる第１の溝と、第１の溝に接続して設けられるとともに第１の溝から一方向に且つ陳列装置の幅方向に向かって延びる第２の溝と、第１の溝に接続して設けられるとともに第１の溝から一方向とは反対方向に且つ陳列装置の幅方向に向かって延びる第３の溝と、から少なくとも構成され、第２の溝は一方向且つ幅方向に向かうに従い天井部の上面に接近するように配置され、第３の溝は一方向とは反対方向且つ幅方向に向かうに従い天井部の下面に接近するように配置されていることを特徴とすることができる。また、陳列装置は、移動手段により移動した容器が取り出される取り出し部を有し、回転機構は、取り出し部が設けられている側から眺めた場合に左側の部位と右側の部位とが非対称となる形状で形成され、左側の部位と右側の部位とが入れ替わった状態での取り付け部への回転機構の取り付けができないように、取り付け部および回転機構は構成されていることを特徴とすることができる。
【０００８】
また本発明を陳列装置と捉えた場合、本発明が適用される陳列装置は、標記が付された容器を一方向に移動させる移動手段と、一方向と直交する方向において互いに異なる箇所に設けられ、移動手段により移動する容器を周方向に回転させる複数の回転機構と、回転機構が取り付けられる取り付け部を複数有し、複数の回転機構を支持する支持部と、を備え、回転機構の各々は、取り付け部から取り外し可能に設けられているとともに、取り付け部とは異なる他の取り付け部に取り付け可能に設けられていることを特徴とする陳列装置である。
【０００９】
ここで、回転機構は、移動手段により移動する容器を周方向に回転させ容器に付された標記を一方向に向けることを特徴とすることができる。また、容器は、標記が一方向を向いていない場合に回転機構に接触する接触部を有し、回転機構は、移動する容器の接触部に対し抗力を与えることで容器を周方向に回転させ標記を一方向に向けることを特徴とすることができる。
【００１０】
また本発明を回転ユニットと捉えた場合、本発明が適用される回転ユニットは、標記が付された容器を一方向に移動させ容器を陳列する陳列装置に対して位置決めされ、陳列装置にて移動する容器を周方向に回転させる回転ユニットであって、一方向と直交する方向において互いに異なる箇所に設けられ、陳列装置にて移動する容器を周方向に回転させる複数の回転機構と、回転機構が取り付けられる取り付け部を複数有し、複数の回転機構を支持する支持部と、を備え、回転機構の各々は、取り付け部から取り外し可能に設けられているとともに、取り付け部とは異なる他の取り付け部に取り付け可能に設けられていることを特徴とする回転ユニットである。ここで、支持部は、容器の移動経路の上方に設置される天井部を備え、回転機構の各々は、天井部に取り付けられていることを特徴とすることができる。
【００１１】
また本発明を回転部材と捉えた場合、本発明が適用される回転部材は、陳列装置にて移動する容器を周方向に回転させる回転部材であって、陳列装置にて移動する容器の側部に接触することで側部に抗力を与え容器を周方向に回転させる回転部と、陳列装置側に設けられた取り付け部に対して取り付けられるとともに取り付け部から取り外すことが可能な被取り付け部と、を備える回転部材である。ここで、被取り付け部は、断面形状がＴ字状の部位を有し、陳列装置側に形成された溝であって断面形状がＴ字状の溝の長手方向における端部から溝に対しＴ字状の部位が挿入されることで、取り付け部に取り付けられることを特徴とすることができる。
【発明の効果】
【００１２】
無駄なスペースが発生することを抑制可能な陳列システム等を提供できる。
【図面の簡単な説明】
【００１３】
【図１】本発明の実施形態に係る陳列装置の概略構成を示した図である。
【図２】陳列装置の正面図である。
【図３】陳列装置の他の形態を示した図である。
【図４】図２のＩＶ−ＩＶ線における断面図である。
【図５】容器を説明するための図である。
【図６】容器を説明するための図である。
【図７】陳列装置における容器の動作を示した図である。
【図８】陳列装置における容器の動作を示した図である。
【図９】容器の他の一形態を示した図である。
【図１０】陳列装置の上面図である。
【図１１】第１ガイドおよび第２ガイドを説明するための図である。
【図１２】容器の動作を説明するための図である。
【図１３】容器の動作を説明するための図である。
【図１４】第１ガイドおよび第２ガイドの他の実施形態を説明するための図である。
【図１５】第１ガイドおよび第２ガイドの他の実施形態を説明するための図である。
【図１６】第１ガイドおよび第２ガイドの他の実施形態を説明するための図である。
【図１７】第１ガイドおよび第２ガイドの他の実施形態を説明するための図である。
【図１８】容器の動作を説明するための図である。
【図１９】容器の動作を説明するための図である。
【発明を実施するための形態】
【００１４】
以下、添付図面を参照して、本発明を実施するための形態について詳細に説明する。
図１は、本発明の実施形態に係る陳列装置の概略構成を示した図である。
同図（Ａ）に示すように本実施形態における陳列装置３０は、所定の奥行き寸法および幅寸法を有している。またこの陳列装置３０には、図柄が印刷されたフィルムＦが外周面に装着され且つ飲料が内部に充填された容器２０が載せられる容器載置面３１Ａを有し、この容器２０を一方向に移動させる載置部３１（移動手段の一例）が設けられている。また陳列装置３０は、載置部３１の一側辺に沿って配置され、容器２０の移動を停止させる、好ましくは透明に形成される規制板３４を備えている。また陳列装置３０は、容器２０を周方向に回転させ容器２０に付された識別標記（後述）を陳列装置３０の前方に向ける回転ユニット５００を備えている。また、図示は省略するが、容器載置面３１Ａには回転可能なロール状部材が複数設けられており、容器載置面３１Ａ上の容器２０はこのロール状部材により円滑に移動する。
【００１５】
陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。ここで陳列装置３０は、陳列ケース１０に設けられた棚ＴＮ１の上に載せられる。この際、陳列装置３０は、規制板３４が設けられた側がドア１０Ｂ側に位置するように設置される。また載置部３１は、規制板３４が設けられた側が、規制板３４が設けられた側とは反対側よりも下方に位置するように配置される。このため、載置部３１の容器載置面３１Ａは、陳列ケース１０の後方側から容器２０が取り出される前方側（取り出し部側）に向かって下り傾斜した状態となっている。なお本実施形態では、後述するように、回転ユニット５００が陳列装置３０の載置部３１に固定される例を説明するが、陳列ケース１０に設けられた棚ＴＮ２の下面などに対し回転ユニット５００を固定することもできる。即ち、回転ユニット５００の陳列装置３０に対する位置決めは、陳列装置３０に対し回転ユニット５００を固定することで行うこともできるし、棚ＴＮ２などの陳列装置３０以外の箇所に回転ユニット５００を固定することでも行うことができる。さらに説明すると、図１（Ｂ）の棚ＴＮ１〜ＴＮ３に示すように、陳列ケース１０には、棚が多段で設けられることが多く、陳列装置３０の上部に位置する棚ＴＮ２の下面に対し回転ユニット５００を取り付けることで、陳列装置３０に対する回転ユニット５００の位置決めを行うことができる。
【００１６】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は載置部３１上をドア１０Ｂ側に向かって一方向（陳列装置３０の奥行き方向）に移動し、容器２０の取り出し部まで到達する。なお、本明細書では、ドア１０Ｂ側を前方側（前方）と称しドア１０Ｂとは反対側を後方側（後方）と称する場合がある。また、陳列ケース１０の幅方向（容器２０が移動する一方向に直交する方向）を横方向、幅方向と称する場合がある。
【００１７】
図２は、陳列装置３０の正面図である。
図２に示すように、また上記にて説明したように、本実施形態おける陳列装置３０には、容器２０を周方向に回転させ、容器２０の外周面に付された商標や商品名などの識別標記２３を陳列装置３０の前方に向ける回転ユニット５００が設けられている。ここでこの回転ユニット５００は、陳列装置３０の幅方向において互いに異なる箇所に設けられ移動する容器２０の側部に接触しこの容器２０を周方向に回転させる複数の回転部材５３０（回転機構の一例）と、回転部材５３０を支持する支持部材５８０（支持部の一例）とから構成されている。
【００１８】
ここで支持部材５８０は、陳列装置３０の幅方向における一端部側に設けられるとともに陳列装置３０の載置部３１に固定される第１脚部５８１と、陳列装置３０の幅方向における他端部側に設けられるとともに陳列装置３０の載置部３１に固定される第２脚部５８２と、一方の端部が第１脚部５８１により下方から支持され他方の端部が第２脚部５８２により下方から支持されるとともに第１脚部５８１から第２脚部５８２にかけて設けられ且つ陳列装置３０の幅方向に沿って設けられた天板部５８３（天井部の一例）とを備えている。
【００１９】
ここで、第１脚部５８１は、載置部３１に形成された不図示の溝に挿入されることで載置部３１に固定されている。また第２脚部５８２も、載置部３１に形成された溝に挿入されることで載置部３１に固定されている。ここで、第１脚部５８１および第２脚部５８２は、陳列装置３０の前後方向に沿って設けられている。また、天板部５８３も陳列装置３０の前後方向に沿って設けられている。
【００２０】
また天板部５８３の下面には、断面が略Ｔ字状に形成され回転部材５３０が取り付けられる溝５８４（取り付け部の一例）が形成されている。この溝５８４は、複数設けられるとともに陳列装置３０の幅方向において並んで配置されている。また溝５８４は、容器２０の移動方向（陳列装置３０の前後方向（奥行き方向））に沿って設けられている。ここで溝５８４は、上記のようにＴ字状に形成されており、天板部５８３の下面から上方に向かって延びる第１溝５８４Ａと、この第１溝５８４Ａの上端部に接続するとともに第１溝５８４Ａに直交する関係で配置された第２溝５８４Ｂと、同じく第１溝５８４Ａの上端部に接続するとともに第１溝５８４Ａに直交する関係で配置された第３溝５８４Ｃとを備えている。ここで、第２溝５８４Ｂについて詳細に説明すると、この第２溝５８４Ｂは、第１溝５８４Ａに接続して設けられるとともにこの第１溝５８４Ａの上端部から一方向に且つ陳列装置３０の幅方向に向かって延びるように設けられている。また、第３溝５８４Ｃについて詳細に説明すると、この第３溝５８４Ｃは、第１溝５８４Ａに接続して設けられるとともにこの第１溝５８４Ａの上端部から上記一方向とは反対方向に且つ陳列装置３０の幅方向に向かって延びるように設けられている。
【００２１】
一方、回転部材５３０は、天板部５８３に形成された溝５８４に挿入されることで天板部５８３に固定される固定部５１５（被取り付け部の一例）と、固定部５１５と一体で成形され容器２０に接触する接触部５１６とを有している。ここで、固定部５１５は、上記の溝５８４に倣った形状を有しておりその断面形状がＴ字状となっている。より詳細には、固定部５１５は、上記第１溝５８４Ａ内に配置される第１配置部５１１Ａと、第１配置部５１１Ａの上端部に接続され上記第２溝５８４Ｂ内に配置される第２配置部５１１Ｂと、第１配置部５１１Ａの上端部に接続され上記第３溝５８４Ｃ内に配置される第３配置部５１１Ｃと備えている。なお、溝５８４は、天板部５８３の前端部（不図示）から後端部(不図示)にかけて設けられている。そして本実施形態では、溝５８４の前端部および後端部の何れかから、回転部材５３０の固定部５１５が溝５８４に挿入されることで、回転部材５３０が天板部５８３に固定される。
【００２２】
なお本実施形態における陳列装置３０では、回転部材５３０を他の回転部材５３０に交換できるようになっている。また本実施形態では、回転部材５３０は天板部５８３から吊り下げられた状態で設けられている。また本実施形態の陳列装置３０は、回転部材５３０の各々が、陳列装置３０の上下方向における長さが異なる他の回転部材５３０に交換できるように構成されている。このため、図２における右から２番目の容器２０のように、高さ寸法が小さい容器２０であっても、容器２０の周方向における回転（詳細は後述）が可能となっている。
【００２３】
ところでこのように複数列で容器２０を陳列している場合において、例えば、幅寸法の大きい容器２０から幅寸法の小さい容器２０へ、陳列している容器２０の種類を変更した場合、容器２０と容器２０との間に隙間が生じるようになってしまう。そしてこの場合、陳列装置３０に、容器２０の陳列がなされていない無駄なスペースが生じることとなる。そこで、本実施形態における陳列装置３０では、回転部材５３０が陳列装置３０の幅方向に移動可能な構成としている。付言すると、本実施形態における陳列装置３０では、回転部材５３０の取り付け位置が変更可能となっている。そしてこの場合、回転部材５３０を陳列装置３０の幅方向に移動させることで、上記の無駄なスペースの発生を抑制可能となる。また、回転部材５３０を陳列装置３０の幅方向に移動させることで、新たな容器２０を陳列するスペースを生み出すことが可能となる。この結果、本実施形態における陳列装置３０では、容器２０の陳列空間をより有効に活用できるようになる。
【００２４】
なお上記では説明を省略したが、本実施形態における陳列装置３０には、図２に示すように、容器２０と容器２０との間に、ガイド３２が設けられている。このガイド３２は、容器２０の側部に接触し容器２０が陳列装置３０の前方に向かって移動するように容器２０を案内する。なお、このガイド３２は、載置部３１に形成された溝（不図示）に差し込まれることで載置部３１に固定されている。またガイド３２は、差し込みを行う溝を変更することで、載置部３１における取り付け位置が変更可能になっている。
【００２５】
また、図２では、溝５８４に設けられた第２溝５８４Ｂおよび第３溝５８４Ｃが、略水平方向に向かって延びているが、この第２溝５８４Ｂおよび第３溝５８４Ｃは、図３（陳列装置３０の他の形態を示した図）に示すように、水平方向ではなく、水平方向とは交差する方向に向けて延びるように配置することができる。より具体的に説明すると、一方の溝（本例では第２溝５８４Ｂ）が斜め上方に向かって延びるように、他方の溝（本例では第３溝５８４Ｃ）が斜め下方に向かって延びるように、各溝を配置することができる。さらに説明すると、本実施形態では、第２溝５８４Ｂは陳列装置３０の幅方向且つ一方向に向かうに従い天板部５８３の上面に接近するように配置され、第３溝５８４Ｃは陳列装置３０の幅方向且つ上記一方向とは反対方向に向かうに従い天板部５８３の下面に接近するように配置されている。このような構成とした場合、回転部材５３０の左右が反転した状態で回転部材５３０が取り付けられることが防止される。付言すると、本実施形態の回転部材５３０は、左側の部位と右側の部位とが非対象となる形状で形成されている。そして本実施形態では、溝５８４を上記のように構成することで、回転部材５３０の左側の部位と右側の部位とが入れ替わった状態で回転部材５３０が取り付けられることが防止される。また第２溝５８４Ｂおよび第３溝５８４Ｃを、上記のように、水平方向とは交差する方向に向けて延びるように配置した場合、一の溝５８４と、この一の溝５８４に隣接する他の溝５８４とをより接近させることが可能となるため、より多くの溝５８４を設けることが可能となる。そしてこの場合、より多くの回転部材５３０を陳列装置３０に設けることができるようになる。さらにこの場合、互いに隣接する回転部材５３０同士の間隔を狭めることも可能となる。
【００２６】
次いで回転部材５３０に設けられた接触部５１６について説明する。
図４は、図２のＩＶ−ＩＶ線における断面図である。
図２および図４に示すように、接触部５１６には、上下方向および陳列装置３０の前後方向に沿って設けられた第１側壁５１２Ａ、第１側壁５１２Ａの対向位置に配置されるとともに上下方向および陳列装置３０の前後方向に沿って設けられた第２側壁５１２Ｂが設けられている。なお、第１側壁５１２Ａおよび第２側壁５１２Ｂは、天井部５１２Ｃ（図２参照）を介して固定部５１５に取り付けられている。
【００２７】
また本実施形態では、図４に示すように、第１側壁５１２Ａの内側面から容器２０の移動経路に向かって突出した第１ピン５４１〜第５ピン５４５（回転部の一例）が設けられている。ここで本実施形態では、容器２０の移動方向最上流側に第１ピン５４１が配置され、移動方向最下流側に第５ピン５４５が配置されている。また、第１ピン５４１〜第５ピン５４５の各々は、容器２０の移動方向において一定の間隙をおいて並んで配置されている。また本実施形態では、図４に示すように、第２側壁５１２Ｂの内側面から容器２０の移動経路に向かって突出した突出部５１２Ｄ（案内部の一例）が設けられている。この突出部５１２Ｄは、容器２０の移動経路に沿って設けられるとともに容器２０のキャップ２２（図２参照）の外周面（側部）に対峙可能に設けられている。この突出部５１２Ｄは、容器２０の第１突起２６１〜第５突起２６５（後述）が上記第１ピン５４１〜第５ピン５４５に突き当たるように、キャップ２２の外周面に接触し容器２０の案内（誘導）を行う。
【００２８】
なおガイド３２は、陳列装置３０の後端部から前端部にかけて設けることもできるが、図４に示すように、陳列装置３０の前端部（容器２０の取り出し部）にのみ設けることもできる。付言すると、ガイド３２を、容器２０の取り出し部にのみ設け、取り出し部よりも容器２０の移動方向上流側にはガイド３２を設けない構成とすることができる。さらに付言すると、上記第１側壁５１２Ａおよび第２側壁５１２Ｂが設けられている箇所以外の箇所にのみ、ガイド３２を設けることができる。さらに説明すると、本実施形態では、第１側壁５１２Ａおよび第２側壁５１２Ｂにより容器２０の誘導がなされるため、第１側壁５１２Ａおよび第２側壁５１２Ｂが設けられている箇所では、ガイド３２の設置を省略することができる。さらに説明すると、本実施形態のように、容器２０の投入部が設けられている側から容器２０の取り出し部が設けられている側にかけて、第１側壁５１２Ａおよび第２側壁５１２Ｂが設けられている場合、ガイド３２の全長を短くすることができる。
【００２９】
次いで容器２０について説明する。
図５および図６は、容器２０を説明するための図である。なお、図５（Ａ）は容器２０の正面図を示し、同図（Ｂ）は容器２０の右側面図を示している。また、図６（Ａ）は容器２０の背面図を示し、同図（Ｂ）は容器２０の左側面図を示している。また、図５（Ａ）、（Ｂ）、図６（Ａ）、（Ｂ）の各々の上部に表示した図は、Ａ−Ａ線における断面図を示している。
【００３０】
なお本実施形態における容器２０は、ＰＥＴ（ポリエチレンテレフタレート）などの樹脂材料により形成された容器を例示している。例えば、このような容器２０は、樹脂材料を用いた射出成形（ブロー成形）法、樹脂材料を用いてプリフォームを成形後、これをブロー成形する方法により製造することができる。
【００３１】
また、図５（Ａ）に示すように、本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、フィルムＦが装着されている。
【００３２】
ここでフィルムＦには、同図（Ａ）に示すように、商品名、商標名など他の商品と識別するための識別標記２３が印刷されている。また容器２０は、容器本体２１の上部に（キャップ２２の下部に）、容器本体２１の外周面から容器本体２１の径方向に突出するとともに容器本体２１の周方向に沿って形成された環状の突出部２４を備えている。ここで、この突出部２４は容器本体２１と一体に形成されている。
【００３３】
また本実施形態における容器２０は、図５（Ａ）に示すように、突出部２４の下部であって容器本体２１の周囲に、容器本体２１の外周面から容器本体２１の径方向に向かって突出する板状（リブ状）に形成された第１突起２６１〜第５突起２６５（接触部の一例）を備えている。なお第１突起２６１〜第５突起２６５の各々は、その上端部が突出部２４によって支持されており、突出部２４により支持されていない場合に比べ破損等しにくくなっている。
【００３４】
ここで第１突起２６１は、識別標記２３が設けられた側であって容器２０の左側部側に設けられている（図５（Ａ）参照）。また、第５突起２６５は、識別標記２３が設けられた側とは反対側であって容器２０の左側部側に設けられている（図５（Ａ）の断面図参照）。また、第２突起２６２〜第４突起２６４は、第１突起２６１と第５突起２６５との間に配置されている。また、第１突起２６１〜第５突起２６５は、容器２０の周方向（反時計回り方向）において、第１突起２６１、第２突起２６２、第３突起２６３、第４突起２６４、第５突起２６５、の順に設けられている。また第１突起２６１〜第５突起２６５は、容器本体２１の周方向における所定範囲内に設けられている。また第１突起２６１〜第５突起２６５は、容器本体２１の周方向においてほぼ等間隔で配置されている。
【００３５】
また容器２０は、容器２０を識別標記２３が設けられた側から眺めた場合に（図５（Ａ）参照）、容器２０の左側部側に、第１突起２６１〜第５突起２６５が設けられていない構成となっている。付言すると、第１突起２６１〜第５突起２６５が設けられている高さ方向の位置において、容器２０の左側部側は、容器本体２１が露出する状態となっている。さらに説明すると、容器本体２１の左側面に対する接線且つ容器２０の正面側から背面側に向かう接線であって上記第１突起２６１〜第５突起２６５が設けられた高さ位置を通る接線（図５（Ａ）の断面図参照）よりも容器２０の左方側には、第１突起２６１〜第５突起２６５が設けられていない構成となっている。
【００３６】
ここで図７、図８は、陳列装置３０における容器２０の動作を示した図である。
例えば、図７に示すように、識別標記２３が左斜め前方を向いた状態で容器２０が投入された場合、まず第１突起２６１が第１ピン５４１に突き当たる。これによって容器２０は時計回りの回転を行う。付言すると、第１ピン５４１から第１突起２６１に対し抗力が付与されることで、容器２０は時計回りの回転を行う。その後、容器２０は、第２突起２６２が第２ピン５４２に突き当たり、第３突起２６３が第３ピン５４３に突き当たり、第４突起２６４が第４ピン５４４に突き当たることで、順次回転を行う。そして、容器２０は、第５突起２６５が第５ピン５４５に突き当たることで更に回転する。この結果、識別標記２３が前方を向くようになる。
【００３７】
また、例えば、図８に示すように、識別標記２３が後方を向いた状態で容器２０が投入された場合、まず第３突起２６３が第１ピン５４１に突き当たる。これによって容器２０は時計回りの回転を行う。その後、容器２０は、第４突起２６４が第２ピン５４２に突き当たり、第５突起２６５が第３ピン５４３に突き当たることで、順次回転を行う。これによって、識別標記２３が前方を向くようになる。そしてこの場合、第１突起２６１〜第５突起２６５が設けられていない部位が、第１ピン５４１〜第５ピン５４５が配置された側に対向する状態となる。この結果、容器２０は、残りの第４ピン５４４、第５ピン５４５に突き当たることなく陳列装置３０の前方へ移動していく。
【００３８】
なお容器２０は、次のような構成とすることもできる。
図９は、容器２０の他の一形態を示した図である。なお、同図（Ａ）は正面図を示し、同図（Ｂ）は同図（Ａ）のＡ−Ａ線における断面図を示している。
【００３９】
本実施形態における容器２０のキャップ２２は、その外周面に、キャップ２２の高さ方向に沿って形成された凸部、同じく高さ方向に沿って形成された凹部を有している。この凸部および凹部は複数設けられるとともに、キャップ２２の周方向において交互に配置されている。またフィルムＦには、同図（Ａ）、（Ｂ）に示すように、第１識別標記２３ａ、第２識別標記２３ｂが印刷されている（なお本明細書においては、以下単に「識別標記２３」と称する場合がある。）。ここで、第１識別標記２３ａおよび第２識別標記２３ｂは、同一の形態でもいいし異なる形態とすることもできる。なお第１識別標記２３ａおよび第２識別標記２３ｂは、容器２０の周方向において、位相が１８０°ずれた状態で配置されている。
【００４０】
また容器２０の突出部２４は、同図（Ｂ）に示すように、直径Ｄ２を有した円の一部が切り欠かれた形状となっている。付言すれば、突出部２４は、直径Ｄ２を有した円の一部に面削ぎ状の部位が設けられた状態となっている。更に説明すれば、突出部２４は、直径Ｄ２を有した円の一部に、第１平坦部２４１が設けられ、他の一部に、第２平坦部２４２が設けられた状態となっている。なお、第１平坦部２４１および第２平坦部２４２は、第１識別標記２３ａが向く方向および第２識別標記２３ｂが向く方向に沿うように設けられている。
【００４１】
さらに説明すると、突出部２４は、第１識別標記２３ａが向いている方向および第２識別標記２３ｂが向いている方向に延びることで容器本体２１の外周面から突出した状態となっている。また突出部２４は、第１識別標記２３ａが向いている方向と直交する方向および第２識別標記２３ｂが向いている方向と直交する方向に延びるように突出している。但し、この部位における突出量は、上記第１識別標記２３ａが向いている方向および第２識別標記２３ｂが向いている方向に突出した部位の突出量よりも小さくなっている。
【００４２】
また、第１平坦部２４１および第２平坦部２４２は、互いに平行となる関係で配置されている。また、第１平坦部２４１と第２平坦部２４２とは、上記直径Ｄ２の大きさよりも小さい距離Ｄ１をおいて配置されている。さらに、識別標記２３との関係を説明すると、第１平坦部２４１および第２平坦部２４２は、第１識別標記２３ａおよび第２識別標記２３ｂに対し、位相が９０°ずれた状態で配置されている。
【００４３】
さらに説明すると、第１識別標記２３ａ又は第２識別標記２３ｂが陳列装置３０（図１（Ａ）参照）の前方を向いた際における突出部２４の幅はＤ１となる。また、第１識別標記２３ａ又は第２識別標記２３ｂが陳列装置３０の幅方向を向いた際における突出部２４の幅はＤ２となる。さらに説明すると、第１識別標記２３ａ又は第２識別標記２３ｂが向いている方向における突出部２４の幅はＤ２となり、第１識別標記２３ａ又は第２識別標記２３ｂが向いている方向と直交する方向における突出部２４の幅はＤ２よりも小さいＤ１となる。さらに説明すると、第１識別標記２３ａ又は第２識別標記２３ｂが付された側から容器２０を眺めた場合に、突出部２４は、奥行き方向の寸法がＤ２となり、幅方向の寸法がこのＤ２よりも小さいＤ１となる。
【００４４】
次に、上記容器２０を陳列する陳列装置３０について詳細に説明する。
上記の容器２０を陳列する陳列装置３０では、図１０（陳列装置３０の上面図）に示すように、陳列装置３０の前後方向に沿って設けられた第１ガイド５１０および第２ガイド５２０が設けられている。ここで第１ガイド５１０は、第１接続部材５５１によって第１側壁５１２Ａ（図２も参照）の内側面に固定されている。また、第２ガイド５２０は、第２接続部材５５２によって第２側壁５１２Ｂ(図２も参照)の内側面に固定されている。
【００４５】
ここで、第１ガイド５１０は、円柱状の部材により構成され、載置部３１の上方に設けられている。また、容器２０の移動経路に沿って設けられている。さらに、容器２０の移動経路の一方の側方側に設けられている。また第１ガイド５１０は、その後端部が陳列装置３０の後方側に向かうに従い第２ガイド５２０から離れるように形成されており、投入された容器２０を第２ガイド５２０側に誘導する。また第２ガイド５２０は、円柱状の部材により構成され、載置部３１の上方に設けられている。また、第２ガイド５２０は、第１ガイド５１０との間に間隙を有する状態で設けられている。さらに、容器２０の移動経路に沿って設けられるとともに容器２０の移動経路の他方の側方側に設けられている。この第２ガイド５２０は、その前方に直線状に形成されたストレート部５２１を有し、その後方に傾斜部５２２を有している。
【００４６】
ここで、傾斜部５２２は、陳列装置３０の後方側に向かうに従い第１ガイド５１０から離れるように配置されている。また、傾斜部５２２は、陳列装置３０の後方側に向かうに従い容器載置面３１Ａに接近するように配置されている。付言すれば、陳列装置３０の前方に向かうに従い容器載置面３１Ａから離れるように配置されている。また傾斜部５２２は、その端部（図中上端部）が、投入された容器２０の突出部２４（図９（Ａ）参照）における下面よりも下方に位置するように配置されている。この傾斜部５２２は、投入された容器２０を第１ガイド５１０側に誘導する。また、傾斜部５２２およびストレート部５２１は、後述するように容器２０を下方から持ち上げ容器２０に傾斜を付与する。
【００４７】
図１１は、第１ガイド５１０および第２ガイド５２０を説明するための図である。ここで、図１１（Ａ）は図１０のＡ−Ａ線における断面図であり、図１１（Ｂ）は図１０のＢ−Ｂ線における断面図であり、図１１（Ｃ）は図１０のＣ−Ｃ線における断面図である。なお図１１では、第１ガイド５１０の図示を省略している。
【００４８】
上述のとおり第２ガイド５２０には、傾斜部５２２が設けられ、この傾斜部５２２は、陳列装置３０の後方側に向かうに従い容器載置面３１Ａに接近するように配置されている。付言すれば、傾斜部５２２と容器載置面３１Ａとの離間距離が陳列装置３０の前方に向かうに従い大きくなるように、傾斜部５２２は配置されている。例えば図１１（Ａ）にて容器載置面３１Ａと傾斜部５２２の上面との離間距離がＨ１であった場合に、図１１（Ｂ）では離間距離がＨ２（＞Ｈ１）となり、図１１（Ｃ）では離間距離がＨ３（＞Ｈ２＞Ｈ１）となる。ここで、離間距離Ｈ１は、容器２０の底面から突出部２４の下面までの距離Ｈ１０（図９（Ａ）参照）よりも小さい。また、離間距離Ｈ３は、この距離Ｈ１０よりも大きい。なお第１ガイド５１０（本図では不図示）は、容器載置面３１Ａとほぼ平行となるように配置されている。
【００４９】
本実施形態では、識別標記２３が移動経路の側方を向いた状態（前方以外の方向を向いた状態）で容器２０が陳列装置３０に投入されると、容器２０の右方側が第２ガイド５２０により持ち上げられ（突出部２４の右方側が第２ガイド５２０により下方から押圧され）、容器２０は左方側に傾くようになる。また、容器２０に第２ガイド５２０が接触すると、容器２０は回転するようになる。そして識別標記２３が前方を向くと、第２ガイド５２０による持ち上げが解除され、容器２０は識別標記２３が前方を向いた状態で前方に移動していく。
【００５０】
図１２、図１３（容器２０の動作を説明するための図）を用いて容器２０の動作について詳細に説明する。なお、図１２（Ａ）は、図１１（Ａ）で示した第２ガイド５２０等と容器２０とを示した図であり、図１２（Ｂ）は、図１１（Ｂ）で示した第２ガイド５２０等と容器２０とを示した図であり、また、図１２（Ｃ）は、図１１（Ｃ）で示した第２ガイド５２０等と容器２０とを示した図である。
【００５１】
図１２（Ａ）に示すように、識別標記２３が移動経路の側方を向いた状態で投入された容器２０が、第２ガイド５２０の傾斜部５２２に達すると、容器２０の突出部２４の下部に傾斜部５２２が位置する状態となる。そして本実施形態では、傾斜部５２２が、上記のとおり、容器載置面３１Ａから離れるように傾斜した状態で配置されているために、容器２０が前方へ進むことにより突出部２４の下面に傾斜部５２２が接触し、容器２０に傾斜が付与される。付言すれば、容器本体２１のうち第２ガイド５２０が設けられている側が容器載置面３１Ａから離間する。また、突出部２４の下面に傾斜部５２２が接触することによりこの突出部２４に抗力が付与される。そしてこの抗力によって、容器２０（容器本体２１）の回転が開始される。
【００５２】
詳細には、容器２０の前方への移動に伴い突出部２４の下部に傾斜部５２２が接触する（同図（Ｂ）参照）。これにより容器２０に対し抗力が付与されるようになり、容器２０は上方から見て反時計回り方向（周方向）に回転するようになる（図中矢印参照）。また、容器２０が更に前方へ移動するのに伴い、突出部２４がストレート部５２１により下方から支持され持ち上げられるようになる（同図（Ｃ）参照）。これにより容器２０は、第１ガイド５１０側に傾くようになる。また、容器載置面３１Ａと容器２０との接触面積が低下するために容器２０がより回転しやすくなる。
【００５３】
なお、容器２０をストレート部５２１により持ち上げた際、容器２０はこのストレート部５２１から離れる方向に移動する場合がある。このため、本実施形態では、容器２０の外周面に接触可能な位置に第１ガイド５１０を設けている。これにより容器２０が容器２０の側方から支持され、容器２０とストレート部５２１（第２ガイド５２０）との接触が維持される。付言すれば、容器２０の移動が規制され、容器２０とストレート部５２１との接触が維持される。
【００５４】
その後、容器２０は、図１３（Ａ）に示すような回転を継続しながら前方へ移動していく。これにより第１識別標記２３ａが次第に前方を向くようになる。そして同図（Ｂ）に示すように識別標記２３（第１識別標記２３ａ）が前方を向く状態となると、ストレート部５２１（第２ガイド５２０）による突出部２４の支持（持ち上げ）が解除される。付言すれば、識別標記２３が前方を向く状態となると、突出部２４の第１平坦部２４１あるいは第２平坦部２４２（図９（Ｂ）参照）（突出部２４の切り欠き）が、ストレート部５２１と対峙するようになり、第２ガイド５２０による突出部２４の支持が解除される。
【００５５】
さらに説明すれば、図１３（Ｂ）、（Ｃ）に示すように、第２ガイド５２０（ストレート部５２１）による突出部２４の支持が解除され、容器２０の上部側（キャップ２２側）がストレート部５２１（第２ガイド５２０）側に移動するようになる。これにより、容器２０への回転力の付与も解除される。なお、容器２０の上部側がストレート部５２１側に移動すると、ストレート部５２１の上面よりも下方に突出部２４の下面が位置するようになる（同図（Ｃ）参照）。その後、容器２０は同図（Ｃ）に示す姿勢を維持した状態で前方へスライドしていく。即ち、容器２０は、識別標記２３が前方を向いた状態を維持したまま陳列装置３０の前方まで移動していく。
【００５６】
本実施形態では、図１２（Ａ）に示したように、例えば第１識別標記２３ａが側方を向いた状態で容器２０が容器載置面３１Ａに置かれたとしても、前方に達する段階において、第１識別標記２３ａが前方に向くようになる。このため、第１識別標記２３ａが前方に向いていない状態で容器２０の載置（投入）を行ったとしても、陳列装置３０の前方に容器２０が達した際に第１識別標記２３ａを前方に向いた状態となる。即ち本実施形態では、容器２０を陳列装置３０に投入する投入者が特別な操作をしないでも、識別標記２３が前方を向くこととなる。
【００５７】
なお、識別標記２３が前方を向いた状態で容器２０が投入された場合には、傾斜部５２２による突出部２４の持ち上げが行われない。このため、容器２０は投入されたときの姿勢を維持したまま（識別標記２３が前方を向いた状態を維持したまま）陳列装置３０の前方へ移動していく。
【００５８】
なお上記では、第２ガイド５２０により容器２０が支持された際、容器２０が反時計回り方向に回転する場合を説明したが、第１ガイド５１０、第２ガイド５２０、容器２０の表面性状等によっては、容器２０が時計回り方向に回転する場合もある。例えば、容器２０が第２ガイド５２０により持ち上げられるとともに第１ガイド５１０により支持される際、容器２０には第１ガイド５１０からも抗力が付与されることとなる。そしてこの抗力が、第２ガイド５２０により付与される抗力よりも大きい場合、容器２０は、時計回り方向に回転することとなる。また、容器２０が第２ガイド５２０により持ち上げられた際、容器２０は、右方側が第２ガイド５２０により支持されるとともに、左方側は容器載置面３１Ａに接触した状態となる。この場合において、容器載置面３１Ａから付与される抗力が大きい場合などにおいては、容器２０と第２ガイド５２０との間で滑りが生じ、容器２０は時計回り方向に回転することになる。
【００５９】
図１４〜図１７は、第１ガイド５１０および第２ガイド５２０の他の実施形態を説明するための図である。なおこれらの図では、第１接続部材５５１、第１側壁５１２Ａ、第２接続部材５５２、および第２側壁５１２Ｂ(図１０参照)の図示を省略している。また、図１４は、第１ガイド５１０、第２ガイド５２０等を上方から眺めた場合の図である。図１５は、第１ガイド５１０、第２ガイド５２０等を陳列装置３０の前方側および後方側から眺めた場合の図である。図１６は、陳列装置３０の側方側から第１ガイド５１０等を眺めた場合の図である。図１７は、正面側から陳列装置３０を眺めた場合の図である。
【００６０】
図１４、図１５に示すように、本実施形態における第１ガイド５１０は、板状の部材により構成され、載置部３１の上方に設けられている。また、第１ガイド５１０は、前方側に第１傾斜部５１１を有し、後方側に第２傾斜部５１２を有している。ここで第１傾斜部５１１は、図１５（Ａ）に示すように、図中左上側の一端部の方が図中右下側の他端部よりも上方に位置するように、且つ、この一端部の方が他端部よりも左側に位置するように傾斜して配置されている。付言すれば、第１傾斜部５１１は、陳列装置３０の載置部３１から離れるに従い左側に寄るように傾斜して配置されている。
【００６１】
また第１傾斜部５１１は、図１４に示すように、キャップ２２の外周面（容器２０の側部）が接触する（詳細は後述）接触面５１１ａに、複数の凸部および凹部を有している。なお接触面５１１ａは、図１５（Ａ）に示すように、載置部３１の容器載置面３１Ａから離れるに従い容器２０の移動経路の側方（図１５（Ａ）中左方向）に接近するように傾斜した状態となっている。付言すれば、接触面５１１ａは、容器２０の移動経路の側方に向かうに従い容器載置面３１Ａから離れるように傾斜した状態となっている。更に付言すれば、接触面５１１ａは、傾斜して配置され斜め上方を向くように配置されている。
【００６２】
図１４を再度参照し説明を続ける。接触面５１１ａに形成された凸部および凹部は、陳列装置３０の前後方向と直交する方向に沿って形成されるとともに、陳列装置３０の前後方向において、交互に配置されている。そして本実施形態では、キャップ２２の外周面が接触面５１１ａに接触した状態にあると、キャップ２２の外周面に形成された凹凸と、接触面５１１ａに形成された凹凸とが噛み合うようになる。この結果、容器２０における左方側の移動が抑制され、容器２０は周方向の回転を行う（詳細は後述）。
【００６３】
第２傾斜部５１２は、陳列装置３０の後方側に向かうに従い第２ガイド５２０との間に形成される間隙が拡がるように配置されている。なお、第２傾斜部５１２には、上記凹凸が設けられていないが、この第２傾斜部５１２にも凹凸を付与することができる。この第２傾斜部５１２は、陳列装置３０に投入された容器２０を第２ガイド５２０側に誘導する。
【００６４】
ここで図１７を参照して第１ガイド５１０および第２ガイド５２０について更に詳細に説明する。なお、同図（Ａ）は図１４のＡ−Ａ線における断面図であり、同図（Ｂ）は図１４のＢ−Ｂ線における断面図であり、同図（Ｃ）は図１４のＣ−Ｃ線における断面図である。
【００６５】
第２ガイド５２０には、上記にて説明したように、傾斜部５２２が設けられ、そしてこの傾斜部５２２は、陳列装置３０の後方側に向かうに従い載置部３１に接近するように配置されている。本実施形態においても、図１７（Ａ）にて容器載置面３１Ａと傾斜部５２２との離間距離がＨ１となっており、図１７（Ｂ）では離間距離がＨ２（＞Ｈ１）となっており、図１７（Ｃ）では離間距離がＨ３（＞Ｈ２＞Ｈ１）となっている。また、第１ガイド５１０と第２ガイド５２０との水平方向の距離Ｗ１，Ｗ２，Ｗ３は、Ｗ１＞Ｗ２＞Ｗ３の関係になっている。
【００６６】
本実施形態でも、識別標記２３が移動経路の側方を向いた状態（前方以外の方向を向いた状態）で容器２０が陳列装置３０に投入されると、容器２０の右方側が傾斜部５２２により持ち上げられ、容器２０は左方側に傾くようになる。そしてこの傾きによって、容器２０のキャップ２２が第１ガイド５１０に接触し、容器２０が回転するようになる。そして識別標記２３が前方を向くと、キャップ２２が第１ガイド５１０から離間し、容器２０は識別標記２３が前方を向いた状態で前方に移動していく。
【００６７】
図１８、図１９（容器２０の動作を説明するための図）を用いて容器２０の動作について詳細に説明する。なお、図１８（Ａ）は、図１７（Ａ）で示した第１ガイド５１０、第２ガイド５２０と容器２０とを示した図であり、図１８（Ｂ）は、図１７（Ｂ）で示した第１ガイド５１０、第２ガイド５２０と容器２０とを示した図であり、また、図１８（Ｃ）は、図１７（Ｃ）で示した第１ガイド５１０、第２ガイド５２０と容器２０とを示した図である。
【００６８】
図１８（Ａ）に示すように、識別標記２３が移動経路の側方を向いた状態で投入された容器２０が、第１ガイド５１０の第２傾斜部５１２と第２ガイド５２０の傾斜部５２２との間に達すると、容器２０の突出部２４の下部に傾斜部５２２が位置する状態となる。そして、傾斜部５２２が載置部３１（容器載置面３１Ａ）から離れるように傾斜した状態で配置されているために、容器２０に傾斜が付与される。
【００６９】
詳細には、容器２０の前方への移動に伴い突出部２４の下部に傾斜部５２２が接触する。そして、容器２０がさらに前方へ移動するのに伴い、突出部２４が傾斜部５２２に持ち上げられるようになる（同図（Ｂ）参照）。これにより容器２０は、第２傾斜部５１２（第１ガイド５１０）側に傾くようになる。そして、容器２０は、突出部２４が傾斜部５２２により更に持ち上げられることで更に傾くようになり、同図（Ｃ）に示すように、キャップ２２の外周面であってキャップ２２の上部側が第１傾斜部５１１（第１ガイド５１０）の接触面５１１ａに接触する。
【００７０】
これによりキャップ２２の外周面における凹凸と、第１傾斜部５１１の接触面５１１ａにおける凹凸との間で噛み合いが生じ、容器２０のうち第１ガイド５１０が設けられた側の移動が規制される。付言すると、容器２０に設けられたキャップ２２のうちの第１ガイド５１０が設けられた側に、容器２０の移動に対する抗力が付与されるようになる。この結果、容器２０の突出部２４と第２ガイド５２０との間に滑りが生じるようになり、容器２０は、図１９（Ａ）の矢印６Ｄに示すように周方向の回転を開始する。また、容器２０は更に前方へ移動していく。
【００７１】
そして同図（Ｂ）に示すように識別標記２３（第２識別標記２３ｂ）が前方を向く状態となると、ストレート部５２１（第２ガイド５２０）による突出部２４の支持が解除される。付言すれば、識別標記２３が前方を向く状態となると、突出部２４の第１平坦部２４１あるいは第２平坦部２４２（図９（Ｂ）参照）が、ストレート部５２１と対峙するようになり、第２ガイド５２０による突出部２４の支持が解除される。
【００７２】
この結果、図１９（Ｂ）、（Ｃ）に示すように、容器２０の上部側（キャップ２２側）がストレート部５２１（第２ガイド５２０）側に移動するようになり、キャップ２２と第１傾斜部５１１（第１ガイド５１０）とが離間するようになる。これにより、容器２０への回転力の付与も解除される。そして、容器２０は同図（Ｃ）に示す姿勢を維持した状態で前方へスライドしていく。即ち、容器２０は、識別標記２３が前方を向いた状態を維持したまま陳列装置３０の前方まで移動していく。
【００７３】
本実施形態でも、図１８（Ａ）に示したように、例えば第２識別標記２３ｂが側方を向いた状態で容器２０が容器載置面３１Ａ（載置部３１）に置かれたとしても、前方に達する段階において、第２識別標記２３ｂが前方に向くようになる。このため、第２識別標記２３ｂが前方に向いていない状態で容器２０の載置（投入）を行ったとしても、陳列装置３０の前方側に容器２０が達した際に第２識別標記２３ｂが前方に向いた状態となる。即ち本実施形態でも、容器２０を陳列装置３０に投入する投入者が特別な操作をしないでも、識別標記２３が前方を向くこととなる。
【００７４】
なお、識別標記２３が前方を向いた状態で容器２０が投入された場合には、第２ガイド５２０の傾斜部５２２による突出部２４の持ち上げが行われない。このため、キャップ２２と第１ガイド５１０との接触も行われず、容器２０は投入されたときの姿勢を維持したまま（識別標記２３が前方を向いた状態を維持したまま）陳列装置３０の前方へ移動していく。
【符号の説明】
【００７５】
２３…識別標記、３０…陳列装置、３１…載置部、２６１〜２６５…第１突起〜第５突起、５３０…回転部材、５１２Ｄ…突出部、５４１〜５４５…第１ピン〜第５ピン、５８０…支持部材、５８１…第１脚部、５８２…第２脚部、５８３…天板部、５８４…溝
【図１】
0005613476.tif 000002
【図２】
0005613476.tif 000003
【図３】
0005613476.tif 000004
【図４】
0005613476.tif 000005
【図５】
0005613476.tif 000006
【図６】
0005613476.tif 000007
【図７】
0005613476.tif 000008
【図８】
0005613476.tif 000009
【図９】
0005613476.tif 000010
【図１０】
0005613476.tif 000011
【図１１】
0005613476.tif 000012
【図１２】
0005613476.tif 000013
【図１３】
0005613476.tif 000014
【図１４】
0005613476.tif 000015
【図１５】
0005613476.tif 000016
【図１６】
0005613476.tif 000017
【図１７】
0005613476.tif 000018
【図１８】
0005613476.tif 000019
【図１９】
0005613476.tif 000020